(57)【要約】【課題】光線の集中効果が良好になり照明効果が向上するＬＥＤランプのコリメートレンズを提供する。【解決手段】ＬＥＤランプのコリメートレンズ１０は透光性のある材料から構成され、第一端面２４、第二端面４２と側壁を含む。第一端面２４はＬＥＤランプを設置するためのＬＥＤランプ設置孔を有する。第二端面４２は第一端面２４に向かい合う側に位置付けられ、面積が第一端面２４の面積より大きい。側壁は第一端面２４と第二端面４２に連接され、第一壁段部３２と第二壁段部４４を有し、第二壁段部４４は第二端面４２の所定の位置から第一端面２４の方向へ所定の距離まで延伸し、第一壁段部３２の一端は第二壁段部４４に連接され、第一壁段部３２の他端は第一端面２４の方向へ所定の距離まで延伸する。第一壁段部３２と第二壁段部４４の間の角度は１８０度以下である。【選択図】図２
0003121109.tif 000002
【実用新案登録請求の範囲】
【請求項１】
透光性のある材料から構成可能であるＬＥＤランプのコリメートレンズであって、
ＬＥＤランプ設置孔を有する第一端面と、
第一端面に向かい合う側に位置付けられ、面積が第一端面の面積より大きい第二端面と、
第一端面及び第二端面に連接され、第一壁段部及び第二壁段部を有し、第二壁段部は第二端面の所定の位置から第一端面の方向へ所定の距離まで延伸し、第一壁段部の一端は第二壁段部に連接され、第一壁段部の他端は第一端面の方向へ所定の距離まで延伸し、第一壁段部と第二壁段部との間の角度が１８０度以下である側壁と、
を備えることを特徴とするＬＥＤランプのコリメートレンズ。
【請求項２】
底部と、底部から外向きに漸増するように延伸するボディーと、ボディーから外向きに漸増するように延伸する頂部とを備え、底部は第一端面を有し、ボディーの周囲側壁は第一壁段部となり、頂部は第二端面を有し、頂部の周囲側壁は第二壁段部となることを特徴とする請求項１に記載のＬＥＤランプのコリメートレンズ。
【請求項３】
底部は第三壁段部及び第四壁段部を有し、第三壁段部は底部の周囲側壁となり、第四壁段部は第三壁段部から垂直状を呈するように延伸しかつ第一壁段部に連接されることを特徴とする請求項２に記載のＬＥＤランプのコリメートレンズ。
【請求項４】
第二端面は平面であることを特徴とする請求項１に記載のＬＥＤランプのコリメートレンズ。
【請求項５】
第一壁段部は弧面であることを特徴とする請求項１に記載のＬＥＤランプのコリメートレンズ。
【請求項６】
第二壁段部は弧面であることを特徴とする請求項１に記載のＬＥＤランプのコリメートレンズ。
【請求項７】
第一壁段部は平面であることを特徴とする請求項１に記載のＬＥＤランプのコリメートレンズ。
【請求項８】
第二壁段部は平面であることを特徴とする請求項１に記載のＬＥＤランプのコリメートレンズ。
【考案の詳細な説明】
【技術分野】
【０００１】
本考案は、ＬＥＤランプに関し、詳しく言えばＬＥＤランプのコリメートレンズに関するものである。
【背景技術】
【０００２】
図５に示すように、周知のコリメートレンズ９０の構造は頂面９２、底面９４と側壁９６を含む。そのうち底面９４はＬＥＤランプ９８を設置するための設置孔９４２を有する。側壁９６は第一壁段部９６２と第二壁段部９６４を有し、そのうち第一壁段部９６２は底面９４から上向きに斜めに延伸し、かつ第二壁段部９６４の底端に連接され、第二壁段部９６４の頂部は頂面９２に垂直であるように連接される。また第一、第二壁段部９６２、９６４の間の角度は１８０度以上である。これにより、ＬＥＤランプ９８から放射された光線はコリメートレンズ９０の頂面９２と側壁９６の間を繰り返して屈折し、最後に頂面９２に垂直に近い角度になると頂面９２を通り抜けて光を放射することが可能であるため、光源の方向を調整して集中させ、方向性のある光束を生成し、照明の要求を満たすことが可能となる。
しかし、ＬＥＤランプ９８から放射された光線が頂面９２から第二壁段部９６４へ屈折する際、第二壁段部９６４と第一壁段部９６２の角度は１８０度以上であり、頂面９２から第二壁段部９６４へ屈折した光線は、第二壁段部９６４における入射角が大き過ぎるため第二壁段部９６４から放射され、光源の損失を生じ、照明効果に影響を及ぼしてしまう。
【考案の開示】
【考案が解決しようとする課題】
【０００３】
本考案の主な目的は、光線の集中効果が良好になり照明効果が向上するＬＥＤランプのコリメートレンズを提供することである。
【課題を解決するための手段】
【０００４】
上述の目的を達成するために、本考案によるＬＥＤランプのコリメートレンズは透光性のある材料から構成され、かつ第一端面、第二端面と側壁を含む。第一端面はＬＥＤランプを設置するためのＬＥＤランプ設置孔を有する。第二端面は第一端面に向かい合う側に位置付けられ、その面積が第一端面の面積より大きい。側壁は第一端面と第二端面に連接され、第一壁段部と第二壁段部を有し、そのうち第二壁段部は第二端面の所定の位置から第一端面の方向へ所定の距離まで延伸し、第一壁段部の一端は第二壁段部に連接され、第一壁段部の他端は第一端面の方向へ所定の距離まで延伸する。また第一壁段部と第二壁段部の間の角度は１８０度以下である。これにより、本考案によるコリメートレンズはＬＥＤランプの光線を集中させ、ＬＥＤランプに照明の目的を達成させることが可能である。
【考案を実施するための最良の形態】
【０００５】
以下、図面と実施例に基づき本考案の構造と効果を説明する。まず図面の説明は次の通りである。
図１は本考案の第一実施例によるＬＥＤランプのコリメートレンズを示す斜視図である。
図２は本考案の第一実施例によるＬＥＤランプのコリメートレンズを示す側面図である。
図３は本考案の第一実施例によるＬＥＤランプのコリメートレンズの光入射と光屈折の状態を示す模式図である。
図４は本考案の第二実施例によるＬＥＤランプのコリメートレンズの光入射と光屈折の状態を示す模式図である。
【０００６】
図１から図３に示すように、本考案の第一実施例によるＬＥＤランプのコリメートレンズ１０は透光性のある材料（例えばプラスチックまたはガラスなど）から構成され、かつ底部２０、ボディー３０と頂部４０を含む。
底部２０は短い円柱状を呈し、その周囲側壁が第三壁段部２２となる。また底部２０は第三壁段部２２の底端に第一端面２４を形成する。また底部２０は第四壁段部２６を有し、第四壁段部２６は第三壁段部２２の頂端から延伸する。
【０００７】
ボディー３０は底部２０から外向きに漸増するように延伸し、その周囲側壁が第一壁段部３２となる。第一壁段部３２は弧面であり、かつ第一壁段部３２は第四壁段部２６に連接される。
頂部４０はボディー３０から外向きに漸増するように延伸し、かつその末端に第一端面２４の面積より大きい平坦な第二端面４２を形成する。また頂部４０の周囲側壁は第二壁段部４４となり、第二壁段部４４は弧面である。
【０００８】
底部２０の第三壁段部２２と第四壁段部２６、ボディー３０の第一壁段部３２、及び頂部４０の第二壁段部４４はコリメートレンズ１０の側壁１２を構成し、第一壁段部３２と第二壁段部４４の間は角度痾を有し、角度痾の範囲は０度から１８０度の間である。本実施例では角度痾は約１５０度である。
コリメートレンズ１０は円形のＬＥＤ設置孔１４を有し、ＬＥＤ設置孔１４は第一端面２４の中央位置にＬＥＤランプ５０を収納するための開口部１６を形成する。またコリメートレンズ１０はＬＥＤ設置孔１４の内頂部の壁に凸弧面１８を形成する。
【０００９】
図３に示すようにＬＥＤランプ５０の光線Ｌが上述の構造を介してコリメートレンズ１０に入射した後、光線Ｌは、第一端面２４における入射角が小さ過ぎるため、第二端面４２において一回目の屈折を生じ、かつ第二壁段部４４へ屈折する。第二壁段部４４と第一壁段部３２の間の角度痾は１８０度以下であるため、光線Ｌの入射角を小さくし、光線Ｌを再び屈折させ第二端面４２へ折り返すことが可能である。これにより、光線Ｌは第二端面４２と第二壁段部４４の間を繰り返して屈折することが可能であるが、最後に第二端面４２に垂直に近い角度になると第二端面４２を通り抜けて光を放射する。
【００１０】
上述の通り、本実施例によるＬＥＤランプのコリメートレンズ１０は第一壁段部３２と第二壁段部４４の間の角度痾を１８０度以下にする設計を採用するため、効率的にＬＥＤランプ５０の光線Ｌを集中させ、照明効果を達成することが可能である。
図４に示すように本考案の第二実施例によるＬＥＤランプコリメートレンズ６０の主な構造は第一実施例の構造とだいたい同じである。その違いは次の通りである。
【００１１】
本実施例では、第一壁段部６２は底部６１両端から外向きに漸増し直線に沿うように延伸し、かつ平面を形成し、第二壁段部６３は第一壁段部６２の頂端から外向きに漸増し直線に沿うように延伸し、かつ平面を形成し、また第一壁段部６２と第二壁段部６３の間は角度竈を有し、角度竈の範囲は０度から１８０度の間である。これにより、ＬＥＤランプ５０の光線Ｌは第二端面６４と第二壁段部６３の間を繰り返して屈折し、最後に第二端面６４に垂直に近い角度になると第二端面６４を通り抜けて光を放射することが可能であるため、本考案の目的を達成することが可能となる。
【図面の簡単な説明】
【００１２】
【図１】本考案の第一実施例によるＬＥＤランプのコリメートレンズを示す斜視図である。
【図２】本考案の第一実施例によるＬＥＤランプのコリメートレンズを示す側面図である。
【図３】本考案の第一実施例によるＬＥＤランプのコリメートレンズの光入射と光屈折の状態を示す模式図である。
【図４】本考案の第二実施例によるＬＥＤランプのコリメートレンズの光入射と光屈折の状態を示す模式図である。
【図５】周知のＬＥＤランプのコリメートレンズを示す模式図である。
【符号の説明】
【００１３】
１０  コリメートレンズ、１２  側壁、１４  ＬＥＤ設置孔、１６  開口部、１８  凸弧面、２０  底部、２２  第三壁段部、２４  第一端面、２６  第四壁段部、３０  ボディー、３２  第一壁段部、４０  頂部、４２  第二端面、４４  第二壁段部、５０  ＬＥＤランプ、６０  コリメートレンズ、６１  底部、６２  第一壁段部、６３  第二壁段部、６４  第二端面、Ｌ  光線、痾  角度、竈  角度
【図１】
0003121109.tif 000003
【図２】
0003121109.tif 000004
【図３】
0003121109.tif 000005
【図４】
0003121109.tif 000006
【図５】
0003121109.tif 000007